(57)【要約】【課題】皮膜を設けたゴルフクラブヘッドの皮膜耐久性の向上を目的とする。【解決手段】ヘッドのソール面１０Ｓに、夫々の層が露出領域を有するように重合する複数の物理的蒸着層を設けており、重合層同士の内の外側層Ｚ１と直下の下側層Ｚ２の露出領域Ｚ２Ｒとの境界が、その境界長さの大部分において、ゴルフクラブの設定ライ角と設定ロフト角とを有するアドレス状態における表現で、フェース・バック方向におけるソール面の接地位置ＳＴよりもバック側に位置しているか、何れの物理的蒸着層の層厚よりも大きな落差を有してバック側が落ち込んでいる段差部Ｄ１，Ｄ２に位置しているか、又は何れの物理的蒸着層の層厚よりも大きな落差を有する溝に位置しているかである。【選択図】図２
2010082192.tif 000002
【特許請求の範囲】
【請求項１】
ヘッドのソール面に、夫々の層が露出領域を有するように重合する複数の物理的蒸着層を設けており、
重合層同士の内の外側層と直下の下側層の露出領域との境界が、その境界長さの大部分において、
ゴルフクラブの設定ライ角と設定ロフト角とを有するアドレス状態における表現で、フェース・バック方向におけるソール面の接地位置よりもバック側に位置しているか、
何れの物理的蒸着層の層厚よりも大きな落差を有してバック側が落ち込んでいる段差部に位置しているか、又は
何れの物理的蒸着層の層厚よりも大きな落差を有する溝に位置しているか
であることを特徴とするゴルフクラブヘッド。
【請求項２】
前記段差部又は溝の場合に、段差部の落ち込んだ底位置の近く、又は溝の底位置の近くに前記境界が位置している請求項１記載のゴルフクラブヘッド。
【請求項３】
前記複数物理的蒸着層の露出表面は、全体露出表面の内の少なくともその一部領域には表面研磨がなされており、該研磨のなされた物理的蒸着層は、層厚の１／３以下の深さの研磨痕を有する請求項１又は２記載のゴルフクラブヘッド。
【請求項４】
ヘッドのソール面に、夫々の層が露出領域を有するように重合する複数の物理的蒸着層を設けており、
重合し合う外側の層全領域の下側には前記下側の層が設けられていることを特徴とするゴルフクラブヘッド。
【請求項５】
前記外側の層と下側の層の露出領域との境界が、何れの物理的蒸着層の層厚よりも大きな落差を有してフェース・バック方向におけるバック側が落ち込んでいる段差部に位置しているか、又は何れの物理的蒸着層の層厚よりも大きな落差を有する溝に位置している請求項４記載のゴルフクラブヘッド。
【発明の詳細な説明】
【技術分野】
【０００１】
本発明はゴルフクラブのヘッドに関する。所謂ウッドヘッドとアイアンヘッドの両方が含まれる。
【背景技術】
【０００２】
近年、ゴルフクラブヘッド等のスポーツ用品は、その性能の向上と共に、使用者の趣味に訴えるために種々の装飾が施されている。例えば、下記特許文献にはそうした例が開示されており、金属皮膜やセラミックス皮膜で装飾を施したスポーツ用品が開示されている。
【特許文献１】特開２００５−１２４５８４号公報
【発明の開示】
【発明が解決しようとする課題】
【０００３】
然しながら、ゴルフクラブヘッドに異なる色合い等の複数種類の皮膜を設ける際には、ゴルフクラブヘッドはソール面が擦られる使用態様のため、耐久性や美観維持の観点から特に工夫が必要である。
解決しようとする課題は、皮膜を設けたゴルフクラブヘッドの皮膜耐久性の向上を目的とすることである。また、使用によって付く傷を目立たないようにすることを目的とする。
【課題を解決するための手段】
【０００４】
第１の発明は、ヘッドのソール面に、夫々の層が露出領域を有するように重合する複数の物理的蒸着層を設けており、重合層同士の内の外側層と直下の下側層の露出領域との境界が、その境界長さの大部分において、ゴルフクラブの設定ライ角と設定ロフト角とを有するアドレス状態における表現で、フェース・バック方向におけるソール面の接地位置よりもバック側に位置しているか、何れの物理的蒸着層の層厚よりも大きな落差を有してバック側が落ち込んでいる段差部に位置しているか、又は何れの物理的蒸着層の層厚よりも大きな落差を有する溝に位置しているかであることを特徴とするゴルフクラブヘッドを提供する。
段差部には、垂直状の段差の他に傾斜状の段差も含まれる。境界長さの大部分とは、８０％以上、好ましくは９０％以上である。
【０００５】
第２発明では、第１発明の前記段差部又は溝の場合に、段差部の落ち込んだ底位置の近く、又は溝の底位置の近くに前記境界が位置しているよう構成する。
第３発明では、第１又は第２の発明の前記複数物理的蒸着層の露出表面は、全体露出表面の内の少なくともその一部領域には表面研磨がなされており、該研磨のなされた物理的蒸着層は、層厚の１／３以下の深さの研磨痕を有するよう構成する。
好ましくは、層厚の１／５以下の深さの研磨痕にする。
【０００６】
第４の発明では、ヘッドのソール面に、夫々の層が露出領域を有するように重合する複数の物理的蒸着層を設けており、重合し合う外側の層全領域の下側には前記下側の層が設けられていることを特徴とするゴルフクラブヘッドを提供する。
【０００７】
第５発明では、第４発明における外側の層と下側の層の露出領域との境界が、何れの物理的蒸着層の層厚よりも大きな落差を有してフェース・バック方向におけるバック側が落ち込んでいる段差部に位置しているか、又は何れの物理的蒸着層の層厚よりも大きな落差を有する溝に位置しているよう構成する。
【発明の効果】
【０００８】
第１の発明では、打撃スイングの際にソール面が芝生等に擦られても、物理的蒸着層同士の境界自体は接地位置よりも上方に逃げた形状のバック寄り部に位置していたり、バック側が落ち込んだ段差部に位置していたり、或いは溝に位置することで、境界に対して擦り作用が及び難く、境界剥離を防止できて物理蒸着層の耐久性が向上する。
【０００９】
第２の発明では、境界が段差部や溝の底位置付近に位置していると、更に境界に対して擦り作用が及び難く、境界剥離を防止できる。
第３の発明では、物理的蒸着層の表面に上記程度の研磨痕を設けると傷が目立ち難くなる。研磨痕による光の乱反射によって傷が目立ち難くなると考えられる。例えば、ヘッドを打撃スイングした際に生じ得る擦り傷を目立たなくできる。この研磨状態を例えれば、鏡が曇ったような状態である。ぼかし外観、即ち、完全な光輝色から、光の乱反射が加わることによるぼやけた光反射の表面にするともいえる。
【００１０】
第４の発明では、外側の層の全領域下側には下側の層が設けられており、両層は同じ物理的蒸着層同士であるため、外側層の接合力が強く、耐久力が向上する。
【００１１】
第５の発明では、打撃スイングの際にソール面が芝生等に擦られても、物理的蒸着層同士の境界自体は接地位置よりも上方に逃げた形状のバック寄り部に位置していたり、バック側が落ち込んだ段差部に位置していたり、或いは溝に位置することで、境界に対して擦り作用が及び難く、境界剥離を防止できて物理的蒸着層の耐久性が向上する。
【発明を実施するための最良の形態】
【００１２】
以下、本発明を添付図面を用いて更に詳細に説明する。図１はウッドタイプの本発明に係るゴルフクラブヘッド１０のホーゼル部ＨＢにシャフト２０を挿入装着したゴルフクラブを、設定ライ角θと設定ロフト角（α）の設定アドレス状態にした場合の正面図、図２は図１のヘッドの下面図、図３は図２の矢視線Ｃ−Ｃによる拡大断面図である。金属製のヘッド本体１０ＨＴの外側表面には蒸着層の皮膜が設けられている。所定のハッチングで示す領域は最外層Ｚ１の露出領域Ｚ１Ｒ，Ｚ１Ｒ’であり、その直下の下側層はＺ２であり、該下側層Ｚ２の露出領域Ｚ２Ｒは他の所定のハッチングで示している。
【００１３】
金属製ヘッド本体１０ＨＴの表面全体に下側層Ｚ２を設け、この下側層の露出領域Ｚ２Ｒをマスキングして、残りの下側層全体の上に外側層Ｚ１を形成する。この外側層の露出領域Ｚ１Ｒ，Ｚ１Ｒ’と前記露出領域Ｚ２Ｒとを残して、その他のヘッド表面を塗装している。マスキングは、テープ等を使用する他に、所定の塗料を塗ることでマスキングすることもできる。この例での外側層の露出領域Ｚ１Ｒは、フェース面１０Ｆ全体を覆い、それがソール面１０Ｓの図２に示す所定ハッチング領域に延伸している。下側層Ｚ２は、ヘッド本体の表面全体に亘って設けなくてもよく、所定の範囲に設けてもよい。この場合、外側層はこの所定の範囲において、下側層の露出領域を除いた残り下側層の領域全体に設ける。これにより外側層の接合力（密着力）が向上する。下側層の露出領域は、外側層全体よりも小さく、また、塗装で覆われた領域以外の外側層露出領域よりも小さい。
【００１４】
前記露出領域Ｚ２Ｒは第１の段差Ｄ１のラインと第２の段差Ｄ２のラインによって挟まれた領域であり、外側層Ｚ１の露出領域Ｚ１Ｒ’は、前記第２の段差Ｄ２のラインと、第３の段差Ｄ３のラインとによって挟まれた領域であり、外側層Ｚ１の露出領域Ｚ１Ｒは、前記第１の段差Ｄ１のラインから、フェース寄りのソール面領域の大部分である。これらの段差は、第１、第２、第３の順にフェース側からバック側に行くに従って低くなっている（図１の載置状態でいえば、漸次上方に位置し、接地面からより高く離れる）。
【００１５】
また、この各段差の落差は、各層Ｚ１，Ｚ２の層厚よりも大きく、両方の層厚を足し合わせた落差よりも大きい。また、段差Ｄ１においては、図３に図示するように、外側層Ｚ１（の露出領域Ｚ１Ｒ）と、下側層Ｚ２の露出領域Ｚ２Ｒとの境界は、当該段差の底位置近くである。また、段差Ｄ２においても、図３に図示するように、外側層Ｚ１（の露出領域Ｚ１Ｒ’）と、下側層Ｚ２の露出領域Ｚ２Ｒとの境界は、当該段差の底位置近くである。
【００１６】
こうして外側層と下側層の露出領域との境界は段差に位置し、段差部の底位置近くにある。従って、打撃スイング時に、フェース側からバック方向にソール面１０Ｓを擦っても、外側層は境界剥離を生じ難い。その他の段差は塗料層との境界になっているが、２つの層Ｚ１，Ｚ２はその塗料層の下側に延設されている。また、ソール面の接地状態になる領域は段差Ｄ１よりもフェース寄り領域であり、露出領域Ｚ１Ｒ内であるが、この領域の層は、これに連続してフェース面も被覆しているため、フェ−ス面近くには境界が無く、この露出領域Ｚ１Ｒの境界は段差Ｄ１の位置であり、打撃スイング時の後方側（バック側）でもあり、境界剥離が生じ難い。参照番号３０Ａ，３０Ｂ，３０Ｃは着脱可能な重量調節部である。また、図２のラインＳＴは設定アドレス状態における、フェース・バック方向での接地位置を示す。
【００１７】
上記２つの層Ｚ１，Ｚ２は物理的蒸着法（ＰＶＤ）による層であり、イオンプレーティングやスパッタリングがある。この手法で金属蒸着層を形成している。金属以外にもセラミックスの層を形成することもできる。この手法では、その表面はまさに鏡面状になる。但し、打撃スイング時にソール面１０Ｓには擦り傷が付き易いが、鏡面状態のままでは、その傷が目立つ。それを目立ち難くできれば好ましい。所望領域の物理的蒸着層を研磨し、鏡面状態の表面を、謂わば、曇り鏡状態にでき、光の乱反射が生じて傷が目立ち難くなると考えられる。また、この研磨の成された表面は光輝性の外観が濃くなる。更には、この蒸着層の全体や一部領域にクリヤー層を形成してもよい。
【００１８】
層Ｚ１もＺ２も層厚は、例えば０．０６μｍ〜０．１２μｍの範囲であるがこれに限らない。蒸着層として、チタンや酸化チタンや窒化チタン等のＴｉ系蒸着層を形成してもよい。これらの何れの蒸着層でもよいが、蒸着層を０．５〜４μｍ程度の層厚にすると研摩し易い。
この例では、層Ｚ１はシルバー色、層Ｚ２はゴールド色であり、各層は単一色である。しかし、これらの色は単一色でなくてもよく、また色合いも任意である。金属蒸着での色は、例えば、屈折率の異なる複数の層を組み合わせることで、蒸着材の色に関係なく虹の７色を現出可能である。従って、例えば、ゴールド色を出す場合、ゴールド色の材料を使用しなくても現出し得る。
【００１９】
図４は図３で示した段差Ｄ１の代わりに、溝Ｍを設けた場合の形態例である。下側層Ｚ２の上の外側層Ｚ１の境界が溝内に位置しており、更には、溝の底近くに位置している。この溝の落差は各層厚よりも大きく、また、２つの層厚を足し合わせた落差よりも大きい。従って、打撃スイング時にソール面１０Ｓを擦っても、外側層は境界剥離を生じ難い。段差Ｄ２についても同様である。
【００２０】
図５は段差Ｄ１も溝も設けることなく、ヘッド本体１０ＨＴの上に下側層Ｚ２を設け、その外側に外側層Ｚ１を設けているが、外側層はソール面１０Ｓの領域からフェース面１０Ｆにまで至っており、フェース面近くのソール面領域には外側層の端部（境界）を設けていない。ソール面における外側層Ｚ１と下側層の露出領域Ｚ２Ｒとの境界は、外側層Ｚ１のバック側であって、接地位置ＳＴよりもバック寄りに位置している。即ち、図５の右側がフェ−ス側であり、左側がバック側である。図５は略図であるため、ソール面が湾曲している状態を図示していないが、接地位置ＳＴよりもバック側のソール面領域は、地面から遠ざかる方向に湾曲している。従って、打撃スイング時にフェース側からバック方向にソール面１０Ｓを擦っても、外側層の境界位置を擦ることが防止され、境界剥離を生じ難い。
【００２１】
図６はアイアンタイプのゴルフクラブヘッド１０にシャフト２０を装着したゴルフクラブの設定アドレス状態のトウ側から見た端面図である。図７は図６のソール部の接地位置ＳＴ近くの拡大断面図である。図の各記号はウッドタイプのゴルフクラブに対応する部位には同じ記号を使用している。ソール面の接地位置ＳＴよりもバック部ＢＫ寄りの位置まで、ヘッド本体ＨＴの上にバック部から下側層Ｚ２が設けられている。この下側層のフェース側端部（境界）付近に、例えば、１ｍｍの幅重合させて外側層Ｚ１を設け、この外側層は、フェース面１０Ｆの領域にまで至っている。
【００２２】
このため、外側層Ｚ１と下側層の露出領域Ｚ２Ｒとの境界位置は、接地位置よりもバック部寄りにあり、ソール面における打撃スイング時にフェース側からバック方向にソール面１０Ｓを擦っても、外側層の境界位置を擦ることが防止され、境界剥離を生じ難い。なお、２つの層の重合幅は任意であり、外側層Ｚ１の下側全領域にまで亘って下側層Ｚ２を設けていてもよい。
【００２３】
図８は図７の変形例であり、ヘッド本体１０ＨＴのソール面領域において、下側層Ｚ２を設ける領域に対応して、層Ｚ２の厚さ分の僅かな段差を設けてもよい。こうすることで、下側層との重合領域の外側層Ｚ１の外表面が滑らかになり、打撃スイング時に擦られ難くなり、外側層の耐久性が向上する。
【産業上の利用可能性】
【００２４】
本発明は各種ゴルフクラブヘッドに利用できる。
【図面の簡単な説明】
【００２５】
【図１】図１は本発明に係るゴルフクラブヘッド付近の正面図である。
【図２】図２は図１のヘッドの下面図である。
【図３】図３は図２の矢視線Ｃ−Ｃによる拡大断面図である。
【図４】図４は図３に代わる第２形態例図である。
【図５】図５は第３形態例図である。
【図６】図６はアイアンヘッドの端面図である。
【図７】図７は図６の要部拡大断面図である。
【図８】図８は図７に代わる変形例図である。
【符号の説明】
【００２６】
１０                      ゴルフクラブヘッド
１０ＨＴ                  ヘッド本体
１０Ｆ                    フェース面
１０Ｓ                    ソール面
Ｄ１，Ｄ２                段差
Ｍ                        溝
ＳＴ                      接地位置
Ｚ１                      外側層
Ｚ１Ｒ，Ｚ１Ｒ’          外側層の露出領域（塗料層に隠れていない領域）
Ｚ２                      下側層
Ｚ２Ｒ                    下側層の露出領域
【図１】
2010082192.tif 000003
【図２】
2010082192.tif 000004
【図３】
2010082192.tif 000005
【図４】
2010082192.tif 000006
【図５】
2010082192.tif 000007
【図６】
2010082192.tif 000008
【図７】
2010082192.tif 000009
【図８】
2010082192.tif 000010